【事件の表示】
　特願２０００−４２５「電源切換装置及びコンピュータ」拒絶査定不服審判事件〔平成１３年　７月１９日出願公開、特開２００１−１９７６８２〕について、次のとおり審決する。
【結　論】
　本件審判の請求は、成り立たない。
【理　由】
第１．手続の経緯
　本願は、平成１２年１月５日の出願であって、平成１５年６月４日付けで手続補正がなされ、その後平成１５年１０月６日付けで手続補正書が提出されたところ、この補正について平成１６年５月２０日付けで補正の却下の決定がなされるとともに、同日付けで拒絶査定がなされた。これに対し、平成１６年８月１７日に拒絶査定不服審判の請求がなされるとともに、同日付けで手続補正がなされたものである。
　
第２．平成１６年８月１７日付け手続補正についての補正却下の決定
［補正却下の決定の結論］
　平成１６年８月１７日付けの手続補正を却下する。
　
［理由］
１．補正後の本願発明
（１）本件補正により、特許請求の範囲の請求項１は、
「外部電源及び複数のバッテリによりコンピュータ負荷に電力を供給するための電源切換装置において、
　前記外部電源の電力を前記コンピュータ負荷に供給する外部電力回路と、前記外部電力回路の電力の喪失を検出する検出装置と、
　各々のバッテリの電力を前記コンピュータ負荷に供給する複数のバッテリ電力供給回路と、
　前記外部電力回路からの電力により前記複数のバッテリの少なくとも１つを充電する充電装置と、
　前記充電装置が前記複数のバッテリの少なくとも１つを充電しかつ前記外部電源の電力を前記コンピュータ負荷に供給している間に前記検出装置に応答して切換制御装置により判断された前記複数のバッテリの容量に基づいて送られる指令によりセレクタとフリップ・フロップとを含むバッテリ切り換え回路を制御して所定時間以内に前記複数のバッテリ電力供給回路の少なくとも１つを介して前記供給可能な容量のあるバッテリから前記コンピュータ負荷に電力を供給するように前記バッテリ電力供給回路を切り換える切換装置と、
　前記検出装置に応答して少なくとも前記所定時間だけ
前記バッテリ切り換え回路の制御により前記複数のバッテリ間に循環電流が流れることを防止するとともに、前記複数のバッテリ電力供給回路の少なくとも１つを介して前記供給可能な容量のある少なくとも１つのバッテリから
と補正された。
　
（２）上記補正は、請求項１に記載された発明に関し、その特定事項である「一時電力供給装置」について、「
前記バッテリ切り換え回路の制御により前記複数のバッテリ間に循環電流が流れることを防止するとともに、前記複数のバッテリ電力供給回路の少なくとも１つを介して前記供給可能な容量のある少なくとも１つのバッテリから
　そこで、補正後の請求項１に記載された発明（以下「本件補正発明」という。）が特許出願の際独立して特許を受けることができるものであるか、即ち、本件補正が特許法第１７条の２第５項において準用する同法第１２６条第５項の規定に違反するものでないかについて、以下に検討する。
　
２．引用刊行物
　原査定の拒絶の理由に引用された特開平９−３０８１３１号公報（以下「引用刊行物」という。）には、図面と共に次の事項が記載されている。
・　「【発明の実施の形態】以下本発明を一実施例を基に詳細に説明する。図１は、本発明の電子装置の一種のハンドヘルドあるいは、ラップトップタイプの小型コンピュータ装置の略図であり、バッテリ電力源としてのバッテリパック１、バッテリパック２、バックアップ用サブバッテリ１８、電力制御手段のバッテリ制御部７、サブＣＰＵ７ａ、電圧検出手段のＡ／Ｄコンバータ８、メインＣＰＵ９ａ及び周辺回路からなる主回路部９、表示部１０、ＩＯ部１６、ＲＡＭ／ＲＴＣ（ランダムアクセスメモリ／リアルタイムクロック）１７、ボルテージレギュレータ２４、ＤＣ−ＤＣコンバータ３０等から構成されている。バッテリ制御部７はサブＣＰＵ７ａを有し、主回路部９が停止中も電源を監視している。」（【０００７】）
・　「電界効果トランジスタ（以下ＦＥＴとする）３、ＦＥＴ４、ＦＥＴ５、ＦＥＴ６はバッテリパックの電力供給をオン・オフをするためのスイッチング素子の一種であるＦＥＴスイッチであり、ＦＥＴとパラレルに入っているダイオード３ａ、４ａ、５ａ、６ａはＦＥＴ内部に存在する寄生ダイオードである。しかしＦＥＴ４及びＦＥＴ６にパラレルに入っているダイオード４ａ、６ａは必要に応じて順方向電圧が低く電流容量の大きいダイオードを使用することもできる。尚、ＦＥＴは他のバイポーラトランジスタ、リレー等に置き換えることも可能である。」（【０００８】）
・　「電力源として、バッテリ１、２とは別にＡＣアダプタ２１が備えられ、この入力端子２１ａ、ダイオード２３を介してバッテリ出力端子３７に接続され回路部に電力が供給可能となっている。 ＡＣアダプタ２１が接続されるとアダプタ検出回路２２から、検出信号が出力されＦＥＴ４、６の制御端子にゲート回路２６、２７を介してオフ信号が供給され、バッテリからの電力供給が遮断される。この検出信号はバッテリ制御部にも伝達されＡ／Ｄコンバータの検出動作もこれに対応する。２８、２９はＡＣアダプタ２１の電流をオンオフするトランジスタであり、バッテリパック１、２への充電を制御する場合に用いられる。」（【００１０】）
・　「ＦＥＴ３、４が直列に接続されてバッテリパック１の出力端子に接続され、ＦＥＴ５、６が同様にバッテリパック２の出力端子に接続されている。
　これらの４つのＦＥＴは制御端子であるゲート端子を有しバッテリ制御部７によりそれぞれ独立にオン・オフ制御可能である。尚、ＦＥＴは他のバイポーラトランジスタ、リレー等に置き換えることも可能である。
　通常ＦＥＴには寄生ダイオードが入っているのでＦＥＴをオフしても寄生ダイオードを通して寄生ダイオードのアノードからカソードの方向に電流が流れる。したがってこれを防ぐために一般的にＦＥＴをスイッチング素子として使用する場合にはＦＥＴの寄生ダイオードのアノード同士またはカソード同士が向かい合うように２個直列に接続して完全なスイッチ機能を実現することが多い。しかしこの場合直列に接続された２個のＦＥＴが同時にオンまたはオフするように制御される。しかし本発明の一実施例ではそれぞれのＦＥＴを独立にオン、オフすることができる様にしたため、ＦＥＴ３又は５をオンし、ＦＥＴ４又は６をオフすればＦＥＴ３又は５からダイオード４ａ又は６ａを介して電力が供給され、双方ともオフならば完全にバッテリからの電力供給が停止される様に構成されていて、様々な電力供給モードに柔軟に対応可能である。」（【００１６】〜【００１８】）
・　「ＡＣアダプタ２１が接続されるとアダプタ検出回路２２から、検出信号が出力されＦＥＴ４、６の制御端子にゲート回路２６、２７を介してオフ信号が供給され、バッテリからの電力供給が遮断される。この検出信号はバッテリ制御部にも伝達されＡ／Ｄコンバータの検出動作もこれに対応する。」（【００１９】）
・　「本実施例ではＡ／Ｃアダプタが接続されていない時、次のような組み合わせでＦＥＴのオン、オフを制御する。バッテリパック１から回路に電力を供給するにはＦＥＴ３、ＦＥＴ４をオンしＦＥＴ５、ＦＥＴ６をオフする。（これを単一結合モードと言う。）バッテリパック２から回路に電力を供給する場合にはＦＥＴ３、ＦＥＴ４をオフしＦＥＴ５、ＦＥＴ６をオンする。またバッテリパック１及びバッテリパック２からダイオードＯＲにより回路に電力を供給するにはＦＥＴ３、ＦＥＴ５をオンしＦＥＴ４、ＦＥＴ６をオフする。（これを並列結合モードと言う。）４つのＦＥＴを独立に制御することによりこの３種類の状態を実現することができる、実際の動作については以下に詳述する。
　スタートスイッチ２５が押され装置が起動すると、先ずバッテリ制御部７は、複数の主バッテリから電力を供給すべく、ＦＥＴ３、５をオンしＦＥＴ４、６をオフしてバッテリをＯＲ結合する。これは以下のような理由による。
　すなわち、バッテリ１、２が取り外されたりした経緯があるとサブＣＰＵ９ａはサスペンド状態となっている。このためスタートスイッチによってこれを解除しバッテリ制御部を作動状態とする時はどちらのバッテリが電力供給可能か分からないのでＯＲ結合によって、双方のバッテリから電力を供給しスタートする。
　この様に構成することによって、バッテリ制御部に常時電力を供給して作動状態を維持する必要が無く、サスペンド状態で待機させることができ、また電源投入直後もバックアップバッテリの電力を用いることなく、すぐに電力供給が開始された直後に、Ａ／Ｄコンバータ等を作動し、チェックプログラムを実行させることになる。これによりバックアップ電池ではＡ／Ｄコンバータを駆動しないのでは可能な限り小容量のものにでき、また消費電流も小さいものを選択することができる。」（【００２０】〜【００２３】）
・　「次に、以下の手順で使用するバッテリが決定される。バッテリパックが双方とも装着されていて双方のバッテリパック蓋が閉じられている場合はバッテリ制御部７はバッテリパック１から回路に電力を供給するためにＦＥＴ３及びＦＥＴ４をオンしＦＥＴ５及びＦＥＴ６をオフする。またバッテリパック蓋が閉じられていてバッテリパックがどちらか片方しか装着されていない場合には装着されている方のバッテリパックから回路に電力を供給するための２つのＦＥＴをオンし他のバッテリパックから回路に電力を供給するためＦＥＴはオフする。
　同様にバッテリパック蓋が閉じられていてバッテリパックが２本共装着されてはいるがどちらか片方は十分に充電されていない場合は充電されている方のバッテリパックから回路に電力を供給する。例えばバッテリパック１から電力を回路に供給する場合にはＦＥＴ３、ＦＥＴ４をオンしＦＥＴ５、ＦＥＴ６をオフする。逆にバッテリパック２から回路に電力を供給する場合にはＦＥＴ３、ＦＥＴ４をオフしてＦＥＴ５、ＦＥＴ６をオンする。バッテリが装着されているかどうか、十分に充電されているかどうかはＡ／Ｄコンバータ８でバッテリパックの端子電圧を測定しこのＡ／Ｄ変換された値をバッテリ制御部７で読み込んで判断する。バッテリ制御部７は、双方の電位を比較し、電位の高い方を選択してメイン回路部に供給する。」（【００２４】〜【００２５】（第６欄第１４行まで））
・　「以上説明したバッテリ制御の通常動作をフローチャートで説明する。図３において最初にバッテリパックを装着して動作を開始するとバッテリ制御部７が初期化されて先ずステップＳ１０のようにＦＥＴ３、ＦＥＴ５をオンＦＥＴ４、ＦＥＴ６をオフして二つのバッテリパックをダイオードＯＲ結合する並列結合モードを実行する。初期状態ではどちらのバッテリが装着されているかあるはどちらのバッテリにどの位電圧があるかが不明なのでダイオードＯＲ結合させて両方のバッテリパックから電力を供給する。続いてバッテリ制御部７はステップＳ１２でバッテリパック１の電圧をＡ／Ｄコンバータ８を使って測定する。もしバッテリパック１の電圧が十分であればステップＳ２０のようにＦＥＴ３、ＦＥＴ４をオンしてＦＥＴ５、ＦＥＴ６をオフしてバッテリパック１から回路に電力を供給する単一結合モードを実行する。
　ステップＳ１２においてバッテリパック１の電圧が不充分なら次にステップＳ１４でバッテリパック２の電圧を測定する。バッテリパック２の電圧が十分であればステップＳ１８のようにＦＥＴ３、ＦＥＴ４をオフしてＦＥＴ５、ＦＥＴ６をオンしバッテリパック２から回路に電力を供給する。両方のバッテリパックの電圧が共に十分でなければステップＳ１０で設定したと同じ並列結合モードを保ち装置を動作状態にできないようにする。しかしいずれは充電されたバッテリパックを挿入するので両方のバッテリパックが共に電圧が十分で無い場合でもステップＳ１２に戻り常にバッテリパックの電圧の測定を行う。ステップＳ２０、Ｓ１８でどちらかのバッテリパックから回路に電圧を供給した状態になると装置は動作可能になる。ステップＳ２２で現在選択されているバッテリの電圧を測定する。
　次に、ステップＳ２４でバッテリパックの電圧が低下すると次に他のバッテリパックの電圧を確認する。もし他のバッテリパックの電圧が十分であればステップ２６でバッテリパックの切り替えを行う。ステップＳ２６で切り替えられた元のバッテリパックは放電回路４０ににより放電が開始される。放電回路４０は前述のように放電電流を他方に入力するため他方のバッテリパックの駆動可能時間を伸ばすことになり、単に抵抗等に消費させて放電するより効率的に電力を使うことができる。この後、引き続きステップＳ２２に戻って選択されているバッテリパックの電圧を測定する。ステップＳ２４で他のバッテリパックの電圧が十分でなければ装置を動作させ続けることができない。ステップＳ２８で装置が動作中ならユーザにバッテリの電圧が十分でないことを通知した上で装置の動作を停止させる。ステップＳ２８で装置が停止中なら、装置の動作を停止するステップＳ３０を飛び越してステップＳ３２に進む。ステップＳ３２では両方のバッテリパックの電圧が十分でないのでＦＥＴ３、ＦＥＴ５をオン、ＦＥＴ４、ＦＥＴ６をオフしてバッテリパックの出力をダイオードＯＲ結合し、電力供給モード２を実行する。そして再びステップＳ１２に戻りバッテリパックの電圧の確認を行う。」（【００３０】（第７欄第２０行から）〜【００３２】）
・　「電源投入等の、装置の通常動作のスタート時に、複数のバッテリから同時に、供給することにより、スタートの信頼性が確保される。すなわち、スタート時にはＣＰＵは検出機能あるいは演算機能などが停止されているわけであり、先ず、必ず所定の初期化処理が必要となりこの時には、全ての、あるいは複数のバッテリをＯＲ回路で電力供給することが極めて有効である。」（【００３３】
・　「すなわち、放電が完了すると、放電した側が、ＲＡＭの所定の記憶部に記憶されているため、その後ＡＣアダプタが装着されると、トランジスタ２８、２９の内、放電した側の充電用スイッチをオンし充電を開始する。充電電位もＡ／Ｄコンバータ８によって監視され、満充電となると、充電するバッテリパックが切り替えられ、同様に満充電となるまで充電が実行される。
　放電した側のバッテリが取り外されたと判断された場合は、前述の放電を記憶した情報は消去される。」（【００３５】〜【００３６】）
　
　上記記載事項及び図示内容を総合すると、引用刊行物には、次の発明（以下「引用発明」という。）が記載されているものと認められる。
（引用発明）
「ＡＣ及びバッテリ１，２により小型コンピュータ装置に電力を供給する電子装置において、
　ＡＣ電力を前記小型コンピュータ装置に供給するＡＣアダプタ２１を含む回路と、
　ＡＣアダプタ２１が接続されると検出信号が出力されるアダプタ検出回路２２と、
　前記バッテリ１，２の各々の電力を前記小型コンピュータ装置に供給するバッテリ１に接続されたＦＥＴ３，４を含む回路及びバッテリ２に接続されたＦＥＴ５，６を含む回路と、
　前記ＡＣアダプタ２１を含む回路からの電力により前記バッテリ１，２への充電を制御するトランジスタ２８，２９と、
　電源投入時、ＡＣアダプタが接続されていない場合、バッテリ１，２の測定電圧に基づき、バッテリから前記小型コンピュータ装置に電力を供給するよう前記バッテリ１に接続されたＦＥＴ３，４を含む回路と、前記バッテリ２に接続されたＦＥＴ５，６を含む回路とを、バッテリ１，２のうち電圧の高い方のバッテリから前記小型コンピュータ装置に電力を供給するよう切り換え、
　前記切り換えが実行されるまでの間、ＦＥＴ３，５をＯＮ、ＦＥＴ４，６をＯＦＦに制御し、バッテリ１，２をＯＲ結合し、両バッテリから前記小型コンピュータ装置に電力を供給するバッテリ制御部７とを有する電子装置。」
　
３．対比
　本願補正発明と引用発明とを対比すると、その作用・機能からみて、以下の事項が明らかである。
　後者における「ＡＣ」が前者における「外部電源」に相当し、以下同様に、「バッテリ１，２」が「複数のバッテリ」に、「小型コンピュータ装置」が「コンピュータ負荷」に、「バッテリ１，２への充電を制御するトランジスタ２８，２９」が「複数のバッテリの少なくとも一つを充電する充電装置」に、「ＡＣアダプタ２１を含む回路」が「外部電力回路」に、「バッテリ１に接続されたＦＥＴ３，４を含む回路及びバッテリ２に接続されたＦＥＴ５，６を含む回路」が「複数のバッテリ電力供給回路」に、「電子装置」が「電源切換装置」にそれぞれ相当する。
　また、後者の「ＡＣアダプタ２１が接続されると検出信号が出力されるアダプタ検出回路２２」は、前者の「外部電力回路の電力の喪失を検出する検出装置」と、いずれも「外部電力回路の電力の状態を検出する検出装置」という概念で共通する。
　そして、後者の「バッテリ制御部」の前段部分である「電源投入時、ＡＣアダプタが接続されていない場合、バッテリ１，２の測定電圧に基づき、バッテリから小型コンピュータ装置に電力を供給するよう前記バッテリ１に接続されたＦＥＴ３，４を含む回路と、前記バッテリ２に接続されたＦＥＴ５，６を含む回路とを、バッテリ１，２のうち電圧の高い方のバッテリから小型コンピュータ装置に電力を供給するよう切り換え」る部分は、前者の「充電装置が複数のバッテリの少なくとも１つを充電しかつ外部電源の電力をコンピュータ負荷に供給している間に検出装置に応答して切換制御装置により判断された前記複数のバッテリの容量に基づいて送られる指令によりセレクタとフリップ・フロップとを含むバッテリ切り換え回路を制御して所定時間以内に前記複数のバッテリ電力供給回路の少なくとも１つを介して前記供給可能な容量のあるバッテリから前記コンピュータ負荷に電力を供給するように前記バッテリ電力供給回路を切り換える切換装置」と、「複数のバッテリの容量に基づいて複数のバッテリ電力供給回路の１つを介して供給可能な容量のあるバッテリからコンピュータ負荷に電力を供給するようバッテリ電力供給回路を切り換える切換装置」の概念で共通しているということができる。
　また、後者の「バッテリ制御部」の後段部分である「切り換えが実行されるまでの間、ＦＥＴ３，５をＯＮ、ＦＥＴ４，６をＯＦＦに制御し、バッテリ１，２をＯＲ結合し、両バッテリから小型コンピュータ装置に電力を供給する」部分は、「ＦＥＴ３，５をＯＮ、ＦＥＴ４，６をＯＦＦに制御し、バッテリ１，２をＯＲ結合」した場合、複数のバッテリ間に循環電流が流れることが防止されることは、ＦＥＴの寄生ダイオードの接続方向からみて自明であることから、前者の「検出装置に応答して少なくとも所定時間だけバッテリ切り換え回路の制御により複数のバッテリ間に循環電流が流れることを防止するとともに、前記複数のバッテリ電力供給回路の少なくとも１つを介して前記供給可能な容量のある少なくとも１つのバッテリからコンピュータ負荷に電力を供給する一時電力供給装置」と、「複数のバッテリ間に循環電流が流れることを防止するとともに、複数のバッテリ電力供給回路の少なくとも１つを介して供給可能な容量のある少なくとも１つのバッテリからコンピュータ負荷に電力を供給する一時電力供給装置」の概念で共通しているということができる。
　さらに、後者の「バッテリ制御部」の前段部分と後段部分との関連は、「電源投入時、ＡＣアダプタが接続されていない場合」、前段部分は、バッテリの測定電圧に基づき電力供給が可能なバッテリへの切り換えを「所定時間以内」に実行し、後段部分は、「切り換えが実行されるまでの間」だけ、つまり「所定時間だけ」一時的な電力供給動作を実行しているということができる。
　
　したがって両者は、
「外部電源及び複数のバッテリによりコンピュータ負荷に電力を供給するための電源切換装置において、
　前記外部電源の電力を前記コンピュータ負荷に供給する外部電力回路と、前記外部電力回路の電力の状態を検出する検出装置と、
　各々のバッテリの電力を前記コンピュータ負荷に供給する複数のバッテリ電力供給回路と、
　前記外部電力回路からの電力により前記複数のバッテリを充電する充電装置と、
　複数のバッテリの容量に基づいて所定時間以内に複数のバッテリ電力供給回路の一つを介して供給可能な容量のあるバッテリからコンピュータ負荷に電力を供給するようにバッテリ電力供給回路を切り換える切換装置と、
　所定時間だけ複数のバッテリ間に循環電流が流れることを防止するとともに、複数のバッテリ電力供給回路の少なくとも１つを介して供給可能な容量のあるバッテリからコンピュータ負荷に電力を供給する一時電力供給装置とを有する電源切換装置。」
の点で一致し、以下の点で相違している。
　
［相違点１］
　本願補正発明の「検出装置」は、外部電力回路の電力の「喪失」を検出するのに対し、引用発明のものは、外部電力との「接続」を検出する点。
　
［相違点２］
　本願補正発明の「切換装置」及び「一時電力供給装置」は、「充電装置が複数のバッテリの少なくとも１つを充電しかつ外部電源の電力をコンピュータ負荷に供給している間に検出装置に応答して」一連の動作を実行するのに対し、引用発明の「バッテリ制御部」の前段部分及び後段部分は、「電源投入時、ＡＣアダプタが接続されていない場合」、一連の動作を実行する点。
　
［相違点３］
　本願補正発明の「切換装置」は、「（バッテリ容量に基づいて）送られる指令によりセレクタとフリップ・フロップとを含むバッテリ切り換え回路を制御」するのに対し、引用発明は具体的な回路構成が明確ではない点。
　
４．相違点についての判断
（１）［相違点１］について
　引用発明の「アダプタ検出回路２２」は、引用刊行物の「ＡＣアダプタ２１が接続されるとアダプタ検出回路２２から、検出信号が出力されＦＥＴ４、６の制御端子にゲート回路２６、２７を介してオフ信号が供給され、バッテリからの電力供給が遮断される。」（【００１９】）という記載、「・・・ＡＣアダプタが装着されると、トランジスタ２８、２９の内、放電した側の充電用スイッチをオンし充電を開始する。」（【００３５】）という記載、「本実施例ではＡ／Ｃアダプタが接続されていないとき、次のような組み合わせでＦＥＴのオン、オフを制御する。」（【００２０】）という記載等より、アダプタ検出回路からの出力がある場合、バッテリからの電力供給が遮断され、バッテリを適宜充電するものであり、またアダプタ検出回路からの出力がない場合は、２つのバッテリのいずれか１つを接続する単一結合モードもしくは２つのバッテリのいずれもＯＲ結合する並列結合モードで電力を供給するものである。
　したがって、引用発明のアダプタ検出回路は、アダプタの接続及び非接続状態のいずれも実質的に検出しているということができるから、これを非接続状態、つまり電力の喪失を検出するよう変更し、本願補正発明の相違点１に係る構成とすることは、当業者であれば適宜なし得た設計変更というべきである。
　
（２）［相違点２］について
　引用刊行物の記載（特に【００１０】及び【００２０】参照。）から、引用発明は「充電装置が複数のバッテリの少なくとも１つを充電しかつ外部電源の電力をコンピュータ負荷に供給している」状態があり、そしてこの状態の間にＡＣアダプタの接続が解除された場合、バッテリからの電力供給に切り換えることは明らかである。
　ここで電源装置の技術分野において安定的な電力供給の実現は周知の技術課題であるから、電源投入時以外であっても、ＡＣアダプタの接続されていない場合に、測定電圧に基づき電力供給が可能なバッテリに切り換える時はいつでも、「バッテリ制御部」の前段部分及び後段部分の一連の動作を実行させるよう変更することは、上記周知の技術課題を踏まえれば、当業者が格別の技術的困難性を伴わずともなし得た設計変更ということができる。
　そうすると、本願補正発明の上記相違点２に係る構成は、引用刊行物及び出願前周知の技術思想に基づき、当業者であれば容易に想到し得たものというべきである。
　
（３）［相違点３］について
　一般にセレクタとフリップフロップとを含む切り換え回路は、例えば、特開昭６２−１１８３８９号公報、実願平４−７３９５７号（実開平６−３４３５２号）のＣＤ−ＲＯＭ、特開平１１−２７７５８号公報等に示されているとおり出願前周知の技術であるから、バッテリを切り換えるための具体的回路として、「セレクタとフリップ・フロップとを含むバッテリ切り換え回路」を引用発明のものに適用し、本願補正発明の相違点３に係る構成を想到することは、当業者であれば容易になし得た範囲のことというべきである。
　
（４）本願補正発明の全体構成により奏される効果も、引用刊行物に記載された発明及び周知の技術思想から当業者であれば予測し得る範囲内のものである。
　
　したがって、本願補正発明は、引用刊行物に記載された発明及び周知の技術思想に基づいて、当業者が容易に発明をすることができたものであるから、特許法第２９条第２項の規定により特許出願の際独立して特許を受けることができないものである。
　
５．むすび
　以上のとおりであるから、本件補正は、特許法第１７条の２第５項において準用する同法第１２６条第５項の規定に違反するものであり、同法第１５９条第１項において準用する同法第５３条第１項の規定により却下を免れない。
　
第３．　本願発明について
１．本願発明
　平成１６年８月１７日付け手続補正は、上記のとおり却下されたので、本件出願の請求項１に係る発明（以下、同項記載の発明を「本願発明」という。）は、平成１５年６月４日付け手続補正書で補正された明細書の特許請求の範囲の請求項１に記載された事項により特定される、以下のとおりのものである。
「外部電源及び複数のバッテリによりコンピュータ負荷に電力を供給するための電源切換装置において、
　前記外部電源の電力を前記コンピュータ負荷に供給する外部電力回路と、前記外部電力回路の電力の喪失を検出する検出装置と、
　各々のバッテリの電力を前記コンピュータ負荷に供給する複数のバッテリ電力供給回路と、
　前記外部電力回路からの電力により前記複数のバッテリの少なくとも１つを充電する充電装置と、
　前記充電装置が前記複数のバッテリの少なくとも１つを充電しかつ前記外部電源の電力を前記コンピュータ負荷に供給している間に前記検出装置に応答して切換制御装置により判断された前記複数のバッテリの容量に基づいて送られる指令によりセレクタとフリップ・フロップとを含むバッテリ切り換え回路を制御して所定時間以内に前記複数のバッテリ電力供給回路の少なくとも１つを介して前記供給可能な容量のあるバッテリから前記コンピュータ負荷に電力を供給するように前記バッテリ電力供給回路を切り換える切換装置と、
　前記検出装置に応答して少なくとも前記所定時間だけ前記コンピュータ負荷に電力を供給する一時電力供給装置と、を有する電源切換装置。」
　
２．引用刊行物
　原査定の拒絶の理由に引用された刊行物及びその開示事項は、前記「第２．２．」に記載したとおりである。
　
３．対比・判断
　本願発明は、前記「第２」において検討した本願補正発明から、「一時電力供給装置」についての限定を省いたものである。
　そうすると、本願発明についても、本願補正発明と同様の理由により、引用刊行物に記載された発明及び周知の技術思想に基づいて、当業者が容易に発明をすることができたものというべきである。
　
４．むすび
　以上のとおり、本願発明については、特許法第２９条第２項の規定により特許を受けることができない。
　よって、結論のとおり審決する。